(57)【要約】【課題】  駆動源に直流モータを使用し、温水循環路に温水を循環させる循環ポンプの過負荷運転、モータロック、空運転等の異常運転を検知することができる温水暖房装置を提供する。【解決手段】  暖房運転を開始すると、循環ポンプ１３を駆動する直流モータの電流値をポンプ電流検知回路２３が検知し、この検知した電流値が予め設定してある正常値の範囲の上限値を越える時は循環ポンプが過負荷運転又はモータロックであると判断し、正常値の範囲の下限値未満の時は空運転と判断して暖房運転を停止するので、循環ポンプ１３の過負荷運転、モータロック、空運転等の異常運転を検知するのに、循環ポンプ１３の回転数を検出する回転数検出機構を必要とすることなく、力率がない直流モータを駆動源とする循環ポンプの異常運転を容易に判断して暖房運転を停止できるものである。【選択図】  図３
2006329460.tif 000002
【特許請求の範囲】
【請求項１】
水を加熱する熱交換器と、該熱交換器を加熱するバーナ部と、温水の温度を検知する温水サーミスタと、温水の温度を設定する温水温度設定手段と、加熱された温水を搬送する循環ポンプとを備え、室内に備えた放熱器との間に温水循環路を形成し、加熱した温水を出力が可変する循環ポンプにより温水循環路を循環させる温水暖房装置に於いて、前記温水暖房装置の暖房運転時にポンプ電流検知回路にて循環ポンプを駆動する直流モータの電流を検知し、この検知した電流値が予め設定してある正常値の範囲の上限値を越える時は、循環ポンプが過負荷運転又はモータロック状態と判断して暖房運転を停止し、検知した電流値が予め設定してある正常値の範囲の下限値未満の時は、循環ポンプが空運転状態と判断して暖房運転を停止する制御部を備えたことを特徴とする温水暖房装置。
【請求項２】
水を加熱する熱交換器と、該熱交換器を加熱するバーナ部と、温水の温度を検知する温水サーミスタと、温水の温度を設定する温水温度設定手段と、加熱された温水を搬送する循環ポンプとを備え、室内に備えた放熱器との間に温水循環路を形成し、加熱した温水を出力が可変する循環ポンプにより温水循環路を循環させる温水暖房装置に於いて、前記温水暖房装置の暖房運転時にポンプ電流検知回路にて循環ポンプを駆動する直流モータの電流を検知すると共に、ポンプ電圧検知回路にて循環ポンプを駆動する直流モータの電圧を検知し、この検知した電流値と電圧値により前記直流モータの消費電力を算出し、この算出した消費電力が予め設定してある正常値の範囲の上限値を越える時は、循環ポンプが過負荷運転又はモータロック状態と判断して暖房運転を停止し、算出した消費電力が予め設定してある正常値の範囲の下限値未満の時は、循環ポンプが空運転状態と判断して暖房運転を停止する制御部を備えたことを特徴とする温水暖房装置。
【発明の詳細な説明】
【技術分野】
【０００１】
この発明は、循環ポンプにて温水を循環回路に循環させることで暖房を行う温水暖房装置に関するものである。
【背景技術】
【０００２】
従来よりこの種の温水暖房装置では、循環回路に循環させる循環ポンプの空運転等の異常状態を検知するために、循環ポンプを駆動する交流モータの力率を算出し、その算出値が予め設定した設定値より低い時に、循環ポンプが異常状態と判断するものであった。（例えば、特許文献１参照）
【０００３】
しかし、これは交流モータを使用している場合の循環ポンプの異常状態検出方法であり、循環ポンプを駆動するモータを直流モータとしたものでは、直流モータの力率はなくてこの方法は適さないもので、直流モータの場合の循環ポンプの異常状態検出方法としては、循環ポンプの回転数を回転数検出機構にて検出し、その検出した回転数で循環ポンプが異常状態と判断するものであった。（例えば、特許文献２参照）
【０００４】
【特許文献１】特開平１０−２０５４５７公報
【特許文献２】特開２００３−５６８５４号公報
【発明の開示】
【発明が解決しようとする課題】
【０００５】
ところで、この従来のものでは、循環ポンプの回転数を検出する回転数検出機構が必要となり、その分構成が複雑になると共に、コストが上昇してしまう欠点があった。
【課題を解決するための手段】
【０００６】
そこで、本発明は前記課題を解決するため、請求項１では、水を加熱する熱交換器と、該熱交換器を加熱するバーナ部と、温水の温度を検知する温水サーミスタと、温水の温度を設定する温水温度設定手段と、加熱された温水を搬送する循環ポンプとを備え、室内に備えた放熱器との間に温水循環路を形成し、加熱した温水を出力が可変する循環ポンプにより温水循環路を循環させる温水暖房装置に於いて、前記温水暖房装置の暖房運転時にポンプ電流検知回路にて循環ポンプを駆動する直流モータの電流を検知し、この検知した電流値が予め設定してある正常値の範囲の上限値を越える時は、循環ポンプが過負荷運転又はモータロック状態と判断して暖房運転を停止し、検知した電流値が予め設定してある正常値の範囲の下限値未満の時は、循環ポンプが空運転状態と判断して暖房運転を停止する制御部を備えたものである。
【０００７】
又請求項２に係る貯湯式給湯風呂装置では、特にその構成を、水を加熱する熱交換器と、該熱交換器を加熱するバーナ部と、温水の温度を検知する温水サーミスタと、温水の温度を設定する温水温度設定手段と、加熱された温水を搬送する循環ポンプとを備え、室内に備えた放熱器との間に温水循環路を形成し、加熱した温水を出力が可変する循環ポンプにより温水循環路を循環させる温水暖房装置に於いて、前記温水暖房装置の暖房運転時にポンプ電流検知回路にて循環ポンプを駆動する直流モータの電流を検知すると共に、ポンプ電圧検知回路にて循環ポンプを駆動する直流モータの電圧を検知し、この検知した電流値と電圧値により前記直流モータの消費電力を算出し、この算出した消費電力が予め設定してある正常値の範囲の上限値を越える時は、循環ポンプが過負荷運転又はモータロック状態と判断して暖房運転を停止し、算出した消費電力が予め設定してある正常値の範囲の下限値未満の時は、循環ポンプが空運転状態と判断して暖房運転を停止する制御部を備えたものである。
【発明の効果】
【０００８】
この発明の請求項１によれば、温水暖房装置の暖房運転時にポンプ電流検知回路にて循環ポンプを駆動する直流モータの電流を検知し、この検知した電流値が予め設定してある正常値の範囲の上限値を越える時は、循環ポンプが過負荷運転又はモータロック状態と判断して暖房運転を停止し、検知した電流値が予め設定してある正常値の範囲の下限値未満の時は、循環ポンプが空運転状態と判断して暖房運転を停止する制御部を備えたので、循環ポンプの過負荷運転又はモータロック状態、空運転状態等の異常運転を検知するのに、循環ポンプの回転数を検出する回転数検出機構を必要とすることなく、力率がない直流モータを駆動源とする循環ポンプの異常運転を容易に判断して暖房運転を停止できるものである。
【０００９】
この発明の請求項２によれば、温水暖房装置の暖房運転時にポンプ電流検知回路にて循環ポンプを駆動する直流モータの電流を検知すると共に、ポンプ電圧検知回路にて循環ポンプを駆動する直流モータの電圧を検知し、この検知した電流値と電圧値により前記直流モータの消費電力を算出し、この算出した消費電力が予め設定してある正常値の範囲の上限値を越える時は、循環ポンプが過負荷運転又はモータロック状態と判断して暖房運転を停止し、算出した消費電力が予め設定してある正常値の範囲の下限値未満の時は、循環ポンプが空運転状態と判断して暖房運転を停止する制御部を備えたので、循環ポンプの過負荷運転又はモータロック状態、空運転状態等の異常運転を検知するのに、循環ポンプの回転数を検出する回転数検出機構を必要とすることなく、力率がない直流モータを駆動源とする循環ポンプの異常運転を容易に判断して暖房運転を停止できるものであり、更に消費電力により異常運転を判断することで、循環ポンプの直流モータの電流値だけで判断するより判断の精度を高くすることができるものである。
【発明を実施するための最良の形態】
【００１０】
次に、この発明の一実施形態を図面に基づいて説明する。
図１において、１は本実施例における温水暖房装置本体で、該温水暖房装置本体１で熱交換して加熱した温水を、往き管２から床暖房パネルやパネルヒータ等の放熱器３を通過させて放熱した後、戻り管４から温水暖房装置本体１に戻す温水循環路５を形成するものである。
【００１１】
前記温水暖房装置本体１は、燃焼用空気を送風する送風機６と、燃油を常に一定量貯めている定油面器７と、該定油面器７の燃油を供給する燃料ポンプ８と、送風された燃焼用空気と供給された燃油とにより燃焼を行うバーナ部９と、循環する温水を貯湯する缶体１０と、前記缶体１０内に設けられ、缶体１０内の温水の温度を検知する温水サーミスタ１１と、前記缶体１０内に設けられ、前記バーナ部９の燃焼により加熱されて缶体１０内の温水と熱交換を行う熱交換器１２と、前記缶体１０内の温水を温水循環路５に循環させる出力可変の循環ポンプ１３と、該循環ポンプ１３と缶体１０との間に設けられ、温水中の空気を温水と分離する気水分離器１４とが内蔵されているものである。
【００１２】
そして温水暖房装置本体１に設けられた操作部１５又は室内等に設置されたリモコン１６により、暖房運転の開始又は停止の操作がされると、操作部１５又はリモコン１６より信号線１７を介して温水暖房装置本体１内の制御部１８に、暖房運転の開始信号又は停止信号が出力され、それにしたがって温水暖房装置の暖房運転を制御するものである。
【００１３】
前記温水暖房装置本体１内の制御部１８は電子回路により構成され、図２に示すようにマイコン１９と、温水温度設定手段として操作部１５又はリモコン１６を操作することにより設定された温水の設定温度Ｔ及びその設定温度Ｔに基づいて演算されて設定される各制御温度を記憶するメモリ２０と、該メモリ２０に記憶されている温水の設定温度Ｔ及び各制御温度と缶体１０の温水サーミスタ１１の検知温度ｔとを比較する比較回路２１と、循環ポンプ１３の出力を可変制御するポンプ駆動回路２２と、循環ポンプ１３を駆動する直流モータの電流を検知するポンプ電流検知回路２３と、循環ポンプ１３を駆動する直流モータの電圧を検知するポンプ電圧検知回路２４とを具備したもので、温水暖房装置の運転を制御するものである。
【００１４】
次に本実施例の温水暖房装置の作動を図３のフローチャート説明する。
まず温水暖房装置本体１の操作部１５又はリモコン１６を操作して暖房運転を開始すると、操作部１５又はリモコン１６から温水暖房装置本体１内の制御部１８に暖房運転の開始信号が出力され、それにより制御部１８は暖房を優先して循環ポンプ１３を強運転に設定する第１温調制御パターンに従ってバーナ部９で最大燃焼を開始すると共に、循環ポンプ１３を強運転で暖房運転を開始する（Ｓ１）。
【００１５】
この時、制御部１８はポンプ電流検知回路２３が検知する直流モータの電流値を予め設定してある正常値の範囲内と比較する。（Ｓ２）
【００１６】
そこで直流モータの電流値が正常値の範囲内にあれば正常運転と判断して（Ｓ３）、暖房運転を継続し（Ｓ４）、暖房運転が終了するまで直流モータの電流値を予め設定してある正常値の範囲内と比較する。（Ｓ５）
【００１７】
又直流モータの電流値を予め設定してある正常値の範囲内と比較した時、正常値の範囲の上限値を越える時は（Ｓ６）、循環ポンプが過負荷運転又はモータロック状態と判断し（Ｓ７）、それにより異常運転と判断して（Ｓ８）、暖房運転を停止するものである。（Ｓ９）
【００１８】
又直流モータの電流値を予め設定してある正常値の範囲内と比較した時、正常値の範囲の下限値未満の時は（Ｓ１０）、循環ポンプが空運転状態と判断し（Ｓ１１）、それにより異常運転と判断して（Ｓ８）、暖房運転を停止するものである。（Ｓ９）
【００１９】
尚本実施例の場合、０．５８Ａから０．７Ａまでが正常値の範囲で、循環ポンプが過負荷運転又はモータロック状態と判断するための正常値の範囲の上限値を１．８４Ａ、循環ポンプが空運転状態と判断するための正常値の範囲の下限値を０．３３Ａに設定しているものである。
【００２０】
これにより循環ポンプの過負荷運転又はモータロック状態、空運転状態等の異常運転を検知するのに、循環ポンプの回転数を検出する回転数検出機構を必要とすることなく、力率がない直流モータを駆動源とする循環ポンプの異常運転を容易に判断して暖房運転を停止できるものである。
【００２１】
又その他の実施例として、（Ｓ２）で、ポンプ電流検知回路２３が検知する直流モータの電流値と、ポンプ電圧検知回路２４が検知する直流モータの電圧値とにより直流モータの消費電力を算出し、この算出した消費電力を予め設定してある消費電力の正常値の範囲内と比較するようにしてもよい。
【００２２】
この場合本実施例では、５１．４Ｗから６１．４Ｗまでが正常値の範囲で、循環ポンプが過負荷運転又はモータロック状態と判断するための正常値の範囲の上限値を１６１Ｗ、循環ポンプが空運転状態と判断するための正常値の範囲の下限値を２９Ｗに設定しているものである。
【００２３】
これにより循環ポンプの過負荷運転又はモータロック状態、空運転状態等の異常運転を検知するのに、循環ポンプの回転数を検出する回転数検出機構を必要とすることなく、力率がない直流モータを駆動源とする循環ポンプの異常運転を容易に判断して暖房運転を停止できるものであり、更に消費電力により異常運転を判断することで、循環ポンプの直流モータの電流値だけで判断するより判断の精度を高くすることができるものである。
【図面の簡単な説明】
【００２４】
【図１】この発明の一実施例を付した温水暖房装置の概略構成図。
【図２】同制御部の概略構成図。
【図３】図１の温水暖房装置の異常運転検知制御を説明するためのフローチャート図。
【符号の説明】
【００２５】
３    放熱器
５    温水循環路
９    バーナ部
１１  温水サーミスタ
１２  熱交換器
１３  循環ポンプ
１８  制御部
２３  ポンプ電流検知回路
２４  ポンプ電圧検知回路
【図１】
2006329460.tif 000003
【図２】
2006329460.tif 000004
【図３】
2006329460.tif 000005